(57)【要約】【課題】露光条件をより短時間で決定するための技術を提供する。【解決手段】投影光学系の物体面に配置された原版を照明光学系によって照明して前記投影光学系の像面に像を形成することによって前記像面に配置された基板を露光する露光装置において使用される露光条件を決定する露光条件決定方法は、露光条件を変更しながら、現在の露光条件において前記像面に形成される像を計算する像計算ステップと、前記像計算ステップで計算された像の線幅を評価する評価ステップとを含む処理を繰り返して実行することによって、露光条件を決定すること、および、前記像計算ステップで計算された像の簡易評価値を計算し、前記簡易評価値が許容値を満たす場合には前記像計算ステップで計算された像について前記評価ステップを実行させた後に露光条件を変更して前記処理を再び実行させ、前記簡易評価値が前記許容値を満たさない場合には前記評価ステップを実行させることなく露光条件を変更して前記処理を再び実行させることを含む。【選択図】図１
2010021443.tif 000002
【特許請求の範囲】
【請求項１】
投影光学系の物体面に配置された原版を照明光学系によって照明して前記投影光学系の像面に像を形成することによって前記像面に配置された基板を露光する露光装置において使用される露光条件を決定する露光条件決定方法であって、
露光条件を変更しながら、現在の露光条件において前記像面に形成される像を計算する像計算ステップと、前記像計算ステップで計算された像の線幅を評価する評価ステップとを含む処理を繰り返して実行することによって、露光条件を決定すること、および、
前記像計算ステップで計算された像の簡易評価値を計算し、前記簡易評価値が許容値を満たす場合には前記像計算ステップで計算された像について前記評価ステップを実行させた後に露光条件を変更して前記処理を再び実行させ、前記簡易評価値が前記許容値を満たさない場合には前記評価ステップを実行させることなく露光条件を変更して前記処理を再び実行させること、
を含むことを特徴とする露光条件決定方法。
【請求項２】
前記簡易評価値は、前記像面に形成される像における光強度分布のＮＩＬＳ値、ＩＬＳ値およびコントラスト値のいずれかである、
ことを特徴とする請求項１に記載の露光条件決定方法。
【請求項３】
前記処理は、現在の露光条件において前記像面からずれた面に形成される像を計算する第２像計算ステップを更に含み、
前記評価ステップでは、前記像計算ステップで計算された像の線幅および前記第２像計算ステップで計算された像を評価し、
前記簡易評価値が前記許容値を満たさない場合には前記第２像計算ステップおよび前記評価ステップを実行させることなく露光条件を変更して前記処理を再び実行させる、
ことを特徴とする請求項１に記載の露光条件決定方法。
【請求項４】
前記露光条件は、照明条件を含む、
ことを特徴とする請求項１乃至３のいずれか１項に記載の露光条件決定方法。
【請求項５】
前記露光条件は、有効光源分布を含む、
ことを特徴とする請求項１乃至３のいずれか１項に記載の露光条件決定方法。
【請求項６】
投影光学系の物体面に配置された原版を照明光学系によって照明して前記投影光学系の像面に像を形成することによって前記像面に配置された基板を露光する露光装置において使用される露光条件を決定する露光条件決定方法をコンピュータに実行させるためのコンピュータプログラムであって、前記露光条件決定方法は、
露光条件を変更しながら、現在の露光条件において前記像面に形成される像を計算する像計算ステップと、前記像計算ステップで計算された像の線幅を評価する評価ステップとを含む処理を繰り返して実行することによって、露光条件を決定すること、
前記像計算ステップで計算された像の簡易評価値を計算し、前記簡易評価値が許容値を満たす場合には前記像計算ステップで計算された像について前記評価ステップを実行させた後に露光条件を変更して前記処理を再び実行させ、前記簡易評価値が前記許容値を満たさない場合には前記評価ステップを実行させることなく露光条件を変更して前記処理を再び実行させること、
を含むことを特徴とするコンピュータプログラム。
【発明の詳細な説明】
【技術分野】
【０００１】
本発明は、露光装置において使用される露光条件を決定する露光条件決定方法およびコンピュータプログラムに関する。
【背景技術】
【０００２】
半導体デバイスの製造工程において、半導体デバイスの回路パターンの線幅を決定づける最も重要な処理が露光装置による露光処理である。露光処理では、光源の光で照明光学系により原版を照明し、投影光学系を介して該原版のパターンを基板上の感光剤に投影して、該感光剤の露光処理が行われる。
【０００３】
近年では、要求される回路線幅の微細化が進み、高解像度を実現する技術を採用した露光装置が開発されている。解像度を決定するパラメータとしては、光源の波長、投影光学系の開口数（ＮＡ）、プロセス起因の数値（いわゆるＫ１）がある。高解像度を実現する技術として、ＮＡを大きくする技術、Ｋ１を小さくする技術がある。Ｋ１を小さくする技術としては、例えば、変形照明、偏光照明、投影光学系の収差調整などが挙げられる。
【０００４】
近年では、高解像度を実現する技術が多様化し、複雑になっている。したがって、パターンを基板上に高精度に転写するためには、これらの技術に関連する様々なパラメータを決定する必要がある。パラメータとしては、例えば、照明光学系の瞳面における光強度分布（以下、有効光源分布）、ＮＡ、収差、照明光の偏光状態等を上げることができる。
【０００５】
半導体デバイスの製造工程において、そのデバイスの歩留りを決める最も厳しい要素の一つとして寸法精度が上げられる。寸法精度は、パターン線幅の微細化に応じて、一層厳しくなってきており、寸法精度が所望に値に収まるように様々な露光条件を最適化するニーズが高まってきた。
【０００６】
特許文献１は、有効光源形状の最適化手法に関するものであり、同文献には、有効光源を格子に従った点光源に分割して評価することによって有効光源を最適化することが記載されている。特許文献１には、限界寸法（ＣＤ）、焦点深度（ＤＯＦ）、露光許容範囲（ＥＬ）、露光許容範囲８％時の焦点深度（ＤＯＦ＠８％ＥＬ）、照射量対サイズ（Ｅ１：１）、密集／孤立形状バイアス、形状のサイズによる任意バイアスを評価することが記載されている。特許文献１にはまた、サイドローブ転写、フィルム損失、側壁角度、マスク欠陥増加要因（ＭＥＥＦ）、線形解像力、絶対解像力を評価することが記載されている。
【特許文献１】特開２００４−２４７７３７公報
【発明の開示】
【発明が解決しようとする課題】
【０００７】
様々なパラメータの最適化において、個々のパラメータの値をそれが取りうる範囲の全体にわたって変更しながら露光条件を決定するためには膨大な時間を要する。
【０００８】
本発明は、例えば、露光条件をより短時間で決定するための技術を提供することを目的とする。
【課題を解決するための手段】
【０００９】
本発明の第１の側面は、投影光学系の物体面に配置された原版を照明光学系によって照明して前記投影光学系の像面に像を形成することによって前記像面に配置された基板を露光する露光装置において使用される露光条件を決定する露光条件決定方法に係り、前記決定方法は、露光条件を変更しながら、現在の露光条件において前記像面に形成される像を計算する像計算ステップと、前記像計算ステップで計算された像の線幅を評価する評価ステップとを含む処理を繰り返して実行することによって、露光条件を決定すること、および、前記像計算ステップで計算された像の簡易評価値を計算し、前記簡易評価値が許容値を満たす場合には前記像計算ステップで計算された像について前記評価ステップを実行させた後に露光条件を変更して前記処理を再び実行させ、前記簡易評価値が前記許容値を満たさない場合には前記評価ステップを実行させることなく露光条件を変更して前記処理を再び実行させることを含む。
【００１０】
本発明の第２の側面は、投影光学系の物体面に配置された原版を照明光学系によって照明して前記投影光学系の像面に像を形成することによって前記像面に配置された基板を露光する露光装置において使用される露光条件を決定する露光条件決定方法をコンピュータに実行させるためのコンピュータプログラムに係り、前記露光条件決定方法は、露光条件を変更しながら、現在の露光条件において前記像面に形成される像を計算する像計算ステップと、前記像計算ステップで計算された像の線幅を評価する評価ステップとを含む処理を繰り返して実行することによって、露光条件を決定すること、前記像計算ステップで計算された像の簡易評価値を計算し、前記簡易評価値が許容値を満たす場合には前記像計算ステップで計算された像について前記評価ステップを実行させた後に露光条件を変更して前記処理を再び実行させ、前記簡易評価値が前記許容値を満たさない場合には前記評価ステップを実行させることなく露光条件を変更して前記処理を再び実行させることを含む。
【発明の効果】
【００１１】
本発明によれば、例えば、露光条件をより短時間で決定するための技術が提供される。
【発明を実施するための最良の形態】
【００１２】
以下、添付図面を参照しながら本発明の好適な実施形態を説明する。
【００１３】
まず、デバイスの製造工程を図２及び図３を参照して説明する。図２は、デバイスの製造工程を説明するためのフローチャートである。デバイスとしては、例えば、ＬＳＩ、ＩＣ、メモリなどの半導体チップ、液晶パネルなどの表示デバイス、ＣＣＤ、ＣＭＯＳセンサなどの撮像センサを挙げることができる。ここでは、一例として半導体チップの製造について説明する。
【００１４】
ステップ１（回路設計）では、半導体チップの回路設計を行う。ステップ２（マスク製作）では、設計した回路パターンを形成したマスク（原版）を製作する。ステップ３（ウエハ製造）では、シリコンなどの材料を用いてウエハを製造する。ステップ４（ウエハプロセス）は、前工程と呼ばれ、ステップ４では、マスクとウエハを用いてリソグラフィー技術によってウエハ上に回路を形成する。ステップ５（組立）は、後工程と呼ばれ、ステップ５は、ステップ４によって形成されたウエハをチップ化して半導体チップを形成する工程であり、アッセンブリ工程（ダイシング、ボンディング）、パッケージング工程（チップ封入）等を含む。ステップ６（検査）では、ステップ５で形成された半導体チップの動作確認テスト、耐久性テストなどの検査を行う。ステップ７（出荷）では、以上の工程を経て完成した半導体デバイスを出荷する。
【００１５】
ここで、ステップ１（回路設計）について説明する。ここでは、ＬＳＩの設計を例として説明する。ＬＳＩの設計では、まず、システム設計を行う。システム設計では、ＬＳＩの仕様を決定し、システムをハードウェアとソフトウェアとに切り分けたり、ハードウェアをブロックに切り分けたりする。一般的に、ＬＳＩは、複数のブロックを含みうる。ブロックは、フリップフロップなどの論理ゲートの小さな回路から、ＣＰＵやＤＳＰといった大規模なものまでありうる。例えば、図４のように、１つのＬＳＩは、ＣＰＵ（４１）、ＤＳＰ（４２）、ＲＯＭ（４３）、ＲＡＭ（４４）、Ｌｏｇｉｃ（４５）、ＡＤＣ（４７）、ＤＡＣ（４８）、ＰＬＬ（４９）といったブロック（マクロセルともいう）を含みうる。
【００１６】
次に、ＬＳＩの論理設計を行う。論理設計では、システム設計で設計されたシステムをハードウェアで実現する具体的な論理回路を自動生成する。最終的には、半導体デバイスの回路素子であるトランジスタのゲートレベルの論理回路を生成する。
【００１７】
次に、ＬＳＩのレイアウト設計を行う。レイアウト設計では、ゲートレベルの論理回路で構成される各ブロックを、ＬＳＩのチップ内にどのように配置するかを決め、それらの間を結ぶ配線を設計する。
【００１８】
このようにしてレイアウト設計まで行われたＬＳＩの回路パターン（以下、マスクパターン）のデータ（以下、レイアウトデータ）が、後述する実施例において用いられる。なお、光近接補正を考慮した補助パターンをマスクパターンに付加したデータを用いてもよい。
【００１９】
図３は、ステップ４のウエハプロセスの詳細なフローチャートである。ステップ１１（酸化）では、ウエハの表面を酸化させる。ステップ１２（ＣＶＤ）では、ウエハの表面に絶縁膜を形成する。ステップ１３（電極形成）では、ウエハ上に電極を蒸着などによって形成する。ステップ１４（イオン打ち込み）では、ウエハにイオンを打ち込む。ステップ１５（レジスト処理）では、ウエハに感光剤を塗布する。ステップ１６（露光）では、後述の露光装置によってマスク（原版）の回路パターンを感光剤が塗布されたウエハに投影し該感光剤を露光する。ステップ１７（現像）では、露光された感光剤を現像してマスクパターンを形成する。ステップ１８（エッチング）では、マスクパターンの開口を通して露出している部分を削り取る。ステップ１９（レジスト剥離）では、エッチングが済んで不要となったマスクパターンを取り除く。これらのステップを繰り返し行うことによってウエハ上に回路パターンが形成される。
【００２０】
次に、ステップ１６の露光処理で用いられる露光装置について図５を参照して説明する。光源１とマスク（原版）１３との間に存在する光学部品によって構成される光学系を照明光学系と呼ぶ。光源１は、例えば、紫外域や遠紫外域の光を発生するする超高圧水銀ランプやエキシマレーザでありうる。光源１が発生した光は、光束整形光学系２により目標とする光束形状に変換され、回折光学素子３に入射する。
【００２１】
回折光学素子３は、入射した光を回折させて、フーリエ変換レンズ４を介して、フーリエ変換面に目標とする第１光分布を形成する。回折光学素子３は、形成するべき有効光源分布に応じて切り替えが可能である。
【００２２】
ズーム光学系５は、第１光分布面から出てズーム光学系５に入射する光束をハエの目レンズ６の入射面６ａに所定の倍率で結像させ。また、ズーム光学系５、ハエの目レンズ６へ光束が入射する領域を調整する機能を有し、有効光源分布などの照明条件を変更することができる。
【００２３】
回折光学素子３とフーリエ変換レンズ４とを第１光学ユニット１００、照明形状変換器２０１と２０２とを第２光学ユニット２００、ズーム光学系５を第３光学ユニット３００とする。また、第１光学ユニット１００によって形成される光強度分布を第１光分布Ａ、第２光学ユニット２００によって形成される光強度分布を第２光分布Ｂ、第３光学ユニット３００によって形成される光強度分布を瞳面分布とする。瞳面分布は、有効光源分布と同義で、照射面（マスク１３）に入射する光の角度分布とも同義である。
【００２４】
また、有効光源分布は、光学ユニットの組み合わせに依存する。有効光源分布の形成に直接に関与するユニットを有効光源分布形成ユニットと呼ぶ。有効光源分布形成ユニットは、図５に示す回折光学素子３から絞り部材７までの光路に存在する光学部品を指す。
【００２５】
第１〜第３光学ユニットは、光源１からの光束を目標とする形状に変換し、ハエの目レンズ６の入射面６ａにおける光強度分布と入射する光束の角度分布とを目標とする分布に調整する。これによって、照明光学系の瞳面における光強度分布（有効光源分布）が調整される。
【００２６】
第２光学ユニット２００について詳述する。従来から良く知られている輪帯状の有効光源分布（図８（ａ））を形成する場合、照明形状変換器は、図８（ｂ）のように、光の入射側に凹の円錐面（又は平面）を有し、射出側に凸の円錐面を有するプリズムでありうる。
【００２７】
また、４重極の有効光源分布（図９（ａ））を形成する場合、照明形状変換器は、図９（ｂ）に示すように、入射側に凹四角錐面（又は平面）を有し、射出側に凸四角錐面を有するプリズムでありうる。ここで、入射面と射出面における四角錐の稜線と光軸とが成す角度は等しくても良いし、照明効率を向上させるために、入射側と射出側での角度を異ならせても良い（円錐状のプリズムでも同様）。もしくは、回折光学素子３で形成する第１光分布を４重極にし、入射側に凹の円錐面（又は平面）を設け、射出側に凸の円錐面を設けたプリズムとしても、４重極照明を形成できる。
【００２８】
更に、照明形状変換器を図１０（ａ）、図１１（ａ）に示すように一対のプリズムで構成し、光軸方向に相対移動可能とすれば、より多様な有効光源分布を形成することが可能となる。図１０（ａ）、図１１（ａ）に示す一対のプリズムは、入射面が凹の円錐面で射出面が平面のプリズムと、入射面が平面で射出面が凸の円錐面のプリズムとで構成される。それらのプリズムの間隔が小さいときは、図１０（ｂ）に示すように、発光部の幅が大きい（輪帯率が小さい）輪帯形状の有効光源分布が形成される。一方、プリズムの間隔を大きくすれば、図１１（ｂ）に示すように、発光部の幅が小さい（輪帯率が大きい）輪帯形状の有効光源分布が形成される。
【００２９】
第３光学ユニット３００について詳述する。図１２（ａ）に有効光源分布の断面光強度の一例を示す。第３光学ユニット３００を構成するズーム光学系５を調整して有効光源分布の大きさを変化させると、断面光強度は図１２（ａ）から図１２（ｂ）のように変化しうる。このときの有効光源分布は、図１２（ｃ）から図１２（ｄ）のように変化しうる。ズーム光学系５は、輪帯率を維持したまま、有効光源分布の大きさ（σ値）を調整するように構成されうる。
【００３０】
以上の構成から、例えば、輪帯状の有効光源分布（図８（ａ））を形成する場合、第１光学ユニット１００で第１光分布（Ａ）を円形形状とする。そして、第２光学ユニット２００で第２光分布（Ｂ）の分布を輪帯形状とし、第２光学ユニット２００内の光学素子（プリズム）を駆動することで、輪帯率（輪帯形状の内径（内σ）を外径（外σ）で割った値）の調整が可能となる。更に、第３光学ユニットにより、第２光分布の形状を維持したまま、有効光源分布の大きさを調整することができる。
【００３１】
ハエの目レンズ６は、複数の微小レンズを２次元的に配置して構成され、その射出面が照明光学系の瞳面に相当し、瞳面分布（有効光源分布）を形成している。照明光学系の瞳面には、不要光を遮光して目標とする分布を形成するための絞り部材７が配置される。絞り部材７は、絞り駆動機構（不図示）により、開口の大きさ及び形状が調整される。
【００３２】
照射レンズ８は、ハエの目レンズ６の入射面６ａにおける光強度分布によって視野絞り９を照明する。視野絞り９は、複数の可動な遮光板から成り、任意の開口形状が形成されるようにして、被照射面であるマスク１３面（結果としてウエハ１５面）の露光範囲を制限する。結像レンズ１０、１１は、視野絞り９の開口形状をマスク１３に投影する。偏向ミラー１２は、結像レンズ１０、１１の間で光路を折り曲げる。
【００３３】
マスク（原版）１３はマスクステージ１７によって保持され、マスクステージ１７は不図示のマスクステージ駆動装置によって駆動される。
【００３４】
投影光学系１４は、照明光学系で照明されたマスク１３のパターンの像をウエハ（基板）１５上に形成し、これよってウエハ１５を露光する。マスク１３及びマスクステージ１７を光路外へ移動したときに、投影光学系１４の瞳面では、有効光源分布と相似な光量分布（光強度分布）が形成される。ここで、有効光源分布は、マスク１３面に入射する露光光の角度分布に対応し、マスク１３が物体面にない場合の投影光学系１４の瞳面１４ｅに形成される光の光量分布（光強度分布）に関連する。ここで、投影光学系１４の瞳面１４ｅは、照明光学系の瞳面と光学的に共役な面である。
【００３５】
ウエハ１５は、ウエハステージ１８によって保持され、ウエハステージ１８は、投影光学系１４の光軸方向及び光軸と直交する平面に沿って移動する。ウエハステージ１８は、不図示のウエハステージ駆動装置によって駆動される。
【００３６】
検出器１６は、ウエハ１５が配置される面に入射する露光光の光量を検出するようにウエハステージ１８に搭載されている。ウエハステージ１８は、ウエハ１５が配置される面に沿って検出器１６が移動するように駆動され、この際に検出器１６によって検出される信号が主制御装置２０に送られる。
【００３７】
主制御装置２０は、アクチュエータ２２を制御することにより有効光源分布を調整する。
【００３８】
制御装置２１は、主制御装置２０からの指令により、投影光学系１４内の光学素子１４ａ〜１４ｄの駆動を制御し、収差を制御する。また、制御装置２１は、主制御装置２０からの指令により投影光学系１４内のＮＡ絞り１４ｅを制御し、投影光学系のＮＡを調整する。主制御装置２０には、コンピュータ３０が接続されている。
図６は、コンピュータ３０の構成例を示す図である。コンピュータ３０は、露光条件を決定する露光条件決定プログラムを実行する。コンピュータ３０は、制御部３１、記憶部３２、ブリッジ３３、出力インターフェイス３４、ネットワークインターフェイス３５、入力インターフェイス３６を有し、それぞれがバスを介してブリッジ３３と接続されている。出力インターフェイス３４にはディスプレイ３７が接続され、入力インターフェイス３６には入力装置３８が接続されている。ネットワークインターフェイス３５は、ＬＡＮ等のネットワークに接続され、他のコンピュータとデータの通信が可能である。また、ネットワークインターフェイス３５には、露光装置の主制御装置２０が接続されている。
【００３９】
制御部３１は、ＣＰＵ（Ｃｅｎｔｒａｌ  Ｐｒｏｃｅｓｓｉｎｇ  Ｕｎｉｔ。）、ＤＳＰ（Ｄｉｇｉｔａｌ  Ｓｉｇｎａｌ  Ｐｒｏｃｅｓｓｏｒ。）、ＦＰＧＡ（Ｆｉｅｌｄ  Ｐｒｏｇｒａｍｍａｂｌｅ  Ｇａｔｅ  Ａｒｒａｙ。）、マイクロコンピュータ等を含みうる。記憶部３２は、ＲＯＭ、ＲＡＭ等のメモリを含みうる。入力装置３８は、マウスやキーボードを含みうる。制御部３１は、記憶部３２に記憶されたコンピュータプログラム（ソフトウェアコード）を実行することによって、コンピュータ３０をそのコンピュータプログラムに従った処理又は方法を実行する装置として機能させる。コンピュータプログラムに従った処理の結果は、出力インターフェイス３４を介してディスプレイ３７、他の出力デバイスおよび／または主制御装置２０に出力されうる。記憶部３２には、コンピュータプログラムのほか、ＮＡ、製造するべきデバイスのレイアウトデータ、有効光源分布、照明光学系の構成要素の種類と組み合せとパラメータと制約情報、投影光学系の収差情報が記憶されうる。投影光学系の収差情報、レイアウトデータは、ネットワークインターフェイス３５を介してコンピュータ３０に提供され記憶部３２に記憶されうる。コンピュータプログラムは、メモリ媒体またはネットワークを介してコンピュータ３０にインストールされうる。
［第１実施形態］
図１は、第１実施形態の露光条件決定方法の流れを示すフローチャートである。このフローチャートに示す処理は、より詳しくは記憶部３２に記憶されたコンピュータプログラム（ソフトウェアコード）に従って制御部３１が動作することによって実行される。以下、図１、図７、図１３を参照しながら露光条件決定方法を説明する。
【００４０】
まず、Ｓ１０１では、マスクパターン（原版パターン）が設定される。具体的には、Ｓ１０１では、露光条件の決定のために使用するマスクパターンが設定される。このマスクパターンは、典型的には、評価のためにのみ使用されるマスクパターンであるが、実際のデバイスを製造するためのマスクパターンが使用されてもよい。この実施形態は、一例として、図１３に示す８０ｎｍ幅のＬ／Ｓ（ラインアンドスペース）を有するマスクパターンを使用するものとして説明する。図７（ｃ）は、図１３に示すマスクパターンを図７（ａ）に示す有効光源分布で照明したときに投影光学系１４の像面に形成される像を例示的に示している。図７（ｄ）は、図１３に示すマスクパターンを図７（ｂ）に示す有効光源分布で照明したときに投影光学系１４の像面に形成される像を例示的に示している。
【００４１】
Ｓ１０２では、投影光学系１４の像面（ウエハ１５が配置される面）に形成される像を計算するために必要な計算条件のうち最適化において固定値とするものが設定される。例えば、投影光学系１４のＮＡと、露光光の波長と、投影光学系１４の収差が設定されうる。また、像を計算するために必要な固有のパラメータも設定されうる。当該固有のパラメータには、例えば、像を計算するためのフーリエ変換に用いられる分割数や、レジスト像を求める場合には、レジスト固有のパラメータが含まれうる。
【００４２】
ここでは、一例として、露光光の波長が１９３ｎｍ、投影光学系１４のＮＡ（開口数）が０．８５、輪帯率が１／２の輪帯照明を用いるものとする。また、レジスト（感光剤）の屈折率を１．７とする。
【００４３】
Ｓ１０３では、最適化しようとしている露光条件としてのパラメータに初期値が与えられる。例えば、輪帯照明の外σの初期値として０．８が与えられうる。
【００４４】
Ｓ１０４では、評価条件が設定される。具体的には、マスクパターンにおける評価ポイント、および、露光条件の決定に用いる評価値を計算するための評価式、評価における許容値が設定されうる。評価ポイントは、図１３に例示されているように、中心線幅ＣＤｃ、および、両端線幅ＣＤｌ、ＣＤｒとされうる。中心線幅は、Ｌ／Ｓパターンにおける中心のラインの線幅、両端線幅は、Ｌ／Ｓパターンにおける端部のラインの線幅である。線幅ＣＤｃ、ＣＤｌ、ＣＤｒと目標線幅との差をそれぞれΔＣＤｃ、ΔＣＤｌ、ΔＣＤｒする。
【００４５】
評価値としては、この実施形態では、（１）式で示される評価式で計算される評価値ΔＣＤ＿ＲＭＳが用いられる。
ΔＣＤ＿ＲＭＳ＝｛（ΔＣＤｃ２＋ΔＣＤｌ２＋ΔＣＤｒ２）／３｝１／２
・・・（１）
評価における許容値としては、例えば、目標線幅に対する差分が１０ｎｍ以下、というように設定されうる。
【００４６】
Ｓ１０５では、有効光源分布が設定される。ここで、Ｓ１０３の後に最初にＳ１０５が実行されるときには、Ｓ１０３で与えられた初期値に対応する有効光源分布が設定される。Ｓ１１２の後に実行されるＳ１０５では、Ｓ１１２で変更された後の有効光源分布（露光条件）の選択肢に対応する有効光源分布が設定される。この実施形態では、Ｓ１１２で外σを変更しながら最適化がなされる。
【００４７】
有効光源分布の最適化は、例えば、照明光学系によって与えられる制約条件に従ってなされうる。より具体的には、図８、図９で例示されている光学ユニットの選択、図１０、図１１で例示されている２つのプリズムの間隔の調整とズーム光学系５の調整とによって形成が可能な有効光源分布の範囲内で最適化がなされうる。即ち、照明光学系によって与えられる制約条件は、現状の露光装置に備わった機能によって実現可能な範囲を意味する。しかし、照明光学系に対して新規の機能を組み込むことが可能であれば、それも最適化の対象とすることができる。例えば、プリズムの稜線のなす角度などのプリズムの形状等も最適化の対象となりうる。
【００４８】
また、最適化する有効光源分布として、理想的な分布を対象にしても良い。理想的な分布の代表的な例として、光強度を一様とし、外シグマ、輪帯率、開口角やアパーチャの寸法などをパラメータとして表現する方法や、光強度分布の一部を数式（例えば、多項式、指数関数、ＧＡＵＳＳＩＡＮ、他の分布関数など。）で表し、数式の係数をパラメータとして表現する方法などがある。
【００４９】
また、最適化する露光条件としては、有効光源分布だけではなく、露光時に調整、変更し得るあらゆるパラメータを挙げることができる。例えば、照明光の偏光分布、照明光の中心波長、照明光の分光スペクトル形状（複数の異なる波長の重ね合わせも含む）、投影光学系のＮＡ、投影光学系の収差、投影光学系の瞳透過率分布、レジスト表面反射率の角度特性などを最適化の対象とすることができる。
【００５０】
Ｓ１０６（像計算ステップ）では、設定された条件（現在の有効光源分布を含む）の下で投影光学系１４の像面に形成されるパターンの像が光学シミュレーションにより計算される。具体的には、投影光学系１４の物体面に配置されたマスクパターンが照明光学系により照明されて投影光学系１４によって像面（ウエハ面）に形成される像（光強度分布）が計算される。この像は、一般に、空中像又は光学像などと呼ばれる。
【００５１】
Ｓ１０７では、空中像（光強度分布）の簡易評価値が閾値を満足するかどうかが判定され、満足すればＳ１０８に処理が進められ、満足しなければＳ１１２に処理が進められる。例えば、Ｓ１０４で設定した評価ポイント（ＣＤｃ、ＣＤｌ、ＣＤｒ）の評価方向に沿った空中像（光強度分布）の断面が簡易評価の対象となる。例えば、３点の評価ポイント（ＣＤｃ、ＣＤｌ、ＣＤｒ）のそれぞれのＮＩＬＳ（Ｎｏｒｍａｌｉｚｅｄ  Ｉｍａｇｅ  Ｌｏｇ  Ｓｌｏｐｅ）値のうち最小のＮＩＬＳ値が簡易評価値とされうる。ＮＩＬＳ値は、よく知られているように、（２）式に従って計算することができる。なお、Ｉは光強度、ｌｎＩは、光強度Ｉの自然対数を意味する。Ｓ１０７で簡易評価値として計算されるＮＩＬＳ値は、図１６中にＮ１として例示されている。また、閾値は、図１６中にＮ２として例示されている。
ＮＩＬＳ値＝ＣＤ×∂ｌｎＩ／∂ｘ  ・・・（２）
閾値Ｎ２が０．８であるとすると、図１６に示す例では、外σ（”Ｓｉｇｍａ＿０ｕｔ”と表記）が０．６０以下の有効光源分布の場合、簡易評価値としてのＮＩＬＳ値が閾値Ｎ２を満足しないので、Ｓ１０７における判断がＮｏとなる。この場合、Ｓ１１２において別の有効光源分布の選択肢が設定され、Ｓ１０５およびそれに続くステップ（即ち、最適化のための一連の処理）が再び実行される。一方、外σが０．６５以上の有効光源分布の場合には、簡易評価値としてのＮＩＬＳ値が閾値Ｎ２を満足するので、Ｓ１０７における判断がＹｅｓとなり、処理がＳ１０８に進められる。
【００５２】
このように、この実施形態では、簡易評価値が閾値を満足しない露光条件については後述の評価値を計算することなく、他の露光条件に変更して最適化のための計算が進められる。これにより、簡易評価値が閾値を満足しない露光条件（当該露光条件では、評価値も評価基準を満たさない）については、評価値を計算しないことにより、最適化のための計算に要する全体的な時間が短縮される。以上の趣旨から明らかなように、簡易評価値は、後述の評価値よりも短時間で計算が可能な評価指標である。
この実施形態では、３つの評価ポイントについてのＮＩＬＳ値のうち最小のＮＩＬＳ値を簡易評価値として選択しているが、例えば、同一マスクに存在するパターンのうちハーフピッチが最小のパターンのＮＩＬＳ値を簡易評価値としてもよい。
簡易評価値は、光強度分布の強弱を評価することができる評価値であればよく、簡易評価値としては、ＮＩＬＳ値以外にも種々の評価値を選択することができる。簡易評価値として、例えば、（３）式に示す結像コントラスト値Ｃｎｔ、（４）式に示されるＩＬＳ（Ｉｍａｇｅ  Ｌｏｇ  Ｓｌｏｐｅ）値を使用することもできる。
Ｃｎｔ＝（Ｉｍａｘ−Ｉｍｉｎ）／（Ｉｍａｘ＋Ｉｍｉｎ）  ・・・（３）
ＩＬＳ値＝∂ｌｎＩ／∂ｘ  ・・・（４）
簡易評価値としてＮＩＬＳ値を使う場合には、閾値Ｎ２は、０．５≦Ｎ２≦２０の範囲において製造プロセスに応じて設定されうる。簡易評価値としてコントラスト値Ｃｎｔを使う場合には、閾値Ｃｎｔ２は、０．２５≦Ｃｎｔ２≦０．６の範囲において製造プロセスに応じて設定されうる。簡易評価値としてＩＬＳ値を使う場合には、閾値Ｉ２は、１≦Ｉ２≦５０［１／ｕｍ］の範囲において製造プロセスに応じて設定されうる。
Ｓ１０８では、評価ポイント毎に、Ｓ１０６で計算した空中像に基づいてパターン線幅（ＣＤｃ、ＣＤｌ、ＣＤｒ）が計算される。この計算では、例えば、最も単純なモデルである固定スライスモデルを用いることができる。固定スライスモデルとは、空中像をある光強度をスライスレベルとしてスライスした時の当該スライスレベルと空中像との交点を線幅の両端のエッジと定義するものである。スライスレベルは、中央のパターンの線幅が目標値になるように選択されうる。
【００５３】
Ｓ１０９（評価ステップ）では、Ｓ１０８で計算した線幅（ＣＤｃ、ＣＤｌ、ＣＤｒ）と目標寸法（８０ｎｍ）とに基づいて、（５）式に従って評価値ΔＣＤ＿ＲＭＳが計算される。
ΔＣＤｃ＝ＣＤｃ−８０
ΔＣＤｌ＝ＣＤｌ−８０
ΔＣＤｒ＝ＣＤｒ−８０
ΔＣＤ＿ＲＭＳ＝｛（ΔＣＤｃ２＋ΔＣＤｌ２＋ΔＣＤｒ２）／３｝１／２
・・・（５）
各有効光源分布における評価値は、図１６中にＣ１で示されている。なお、図１６では、説明の便宜のために、ＮＩＬＳ値が閾値Ｎ２を示す有効光源分布における評価値ΔＣＤ＿ＲＭＳについても示されている。
【００５４】
Ｓ１１０では、Ｓ１０９で計算した評価値が許容範囲であり、かつ、複数の露光条件（有効光源）について計算された評価値のうち最良値であるかどうかが判断される。評価値が小さい方が優れている場合には、最良値とは最小値であり、評価値が大きい方が優れている場合には、最良値とは最大値である。或いは、最良値は特定値である場合もありうる。評価値としてΔＣＤ＿ＲＭＳを採用する場合、これは、目標線幅との残渣なので、最良値は最小値である。
【００５５】
有効光源分布の選択肢が図１６に例示された６種類とすると、ＮＩＬＳ値Ｎ１が閾値Ｎ２より大きい有効光源分布（即ち、Ｓ１０７でＹｅｓと判断された有効光源分布。）、かつ、最小の評価値を示す外σ０．６５／内σ０．３２５の有効光源分布が特定された段階でＳ１１０においてＹｅｓと判断され、当該有効光源分布はＳ１１１で露光条件として決定される。
【００５６】
なお、ＮＩＬＳ値に対して閾値Ｎ２を設けない場合には、外σ０．５５／内σ０．２７５における評価値が最小となるが、実際にこれを選ぶとデバイスの歩留りが悪くなる事が予想される。
【００５７】
Ｓ１０８では、ウエハ上のレジストプロセスの影響をモデル化したＶＴＲ方式やＶＢＲ、又は光学像をシフトしながら畳み込み積分したレジストモデルなどを用いて線幅が計算されてもよい。ここで、ＶＴＲは、”Ｖａｒｉａｂｌｅ  Ｔｈｒｅｓｈｏｌｄ  Ｒｅｓｉｓｔ  Ｍｏｄｅｌ”の略である。ＶＢＲは、”Ｖａｒｉａｂｌｅ  Ｂｉａｓ  Ｒｅｓｉｓｔ  Ｍｏｄｅｌ”の略である。
また、Ｓ１１０における判定の実行回数が規定回数になったら許容値を満たさない場合でも処理を終了する設定にし、計算が無限に繰り返されることを防止してもよい。その場合は、Ｓ１０４、Ｓ１０３、Ｓ１０２、Ｓ１０１の設定の少なくとも１つを変更して再び最適化計算を行うべきである。
【００５８】
このように光強度分布の強弱を簡易評価値として用いることにより、最適化のために要する全体的な時間を短縮するほかに、露光マージンも確保された有効光源分布を決定することができる。
【００５９】
コンピュータ３０を用いて最適化された露光条件は、主制御装置２０に供給され、主制御装置２０は、アクチュエータ２２を制御して露光条件を設定する。これにより、ウエハに目標とする結像パターンを形成することができ、また、露光マージンも確保される。
【００６０】
［第２実施形態］
以下、本発明の第２実施形態を説明する。ここで特に言及しない事項については、第１実施形態に従いうる。以下では、第１実施形態と異なる部分を説明する。
【００６１】
図１４は、第２実施形態の露光条件決定方法の流れを示すフローチャートである。このフローチャートに示す処理は、より詳しくは記憶部３２に記憶されたコンピュータプログラム（ソフトウェアコード）に従って制御部３１が動作することによって実行される。この実施形態は、主にＣＤ−ＤＯＦを最大化することができるような有効光源分布を決定することを目的とする。
【００６２】
ＣＤ−ＤＯＦとは、プロセスエラーを代表するパラメータであり、露光装置における焦点ずれ（デフォーカス）がどの程度だけ許容されるかを示す指標である。ここでは、一例として、ＣＤが許容値１０％に入る焦点深度（ＤＯＦ）の値である。
【００６３】
図１５は、露光光の波長が１９３ｎｍ、投影光学系の開口数（ＮＡ）が０．８５、外σが０．７、内σが０．４６７の輪帯照明を用いた際における孤立パターンのＣＤ−ＤＯＦを例示する図である。デフォーカス（ｄｅｆｏｃｕｓ）量を横軸、線幅を縦軸にとり、多項式などでフィッティングを行う。フッティングの曲線が、目標線幅（ここでは８５ｎｍ）の±１０％に入っている範囲をＤＯＦと定義している。
【００６４】
Ｓ１０５で有効光源分布が計算された後に、Ｓ１２０では、ベストフォーカス位置におけるパターンの像が計算される。なお、Ｓ１２０における処置は、第１実施形態のＳ１０６における処理と同じである。
【００６５】
Ｓ１２１では、Ｓ１２０で計算された空中像（光強度分布）の簡易評価値が閾値を満足するかどうかが判定され、満足すればＳ１２２に処理が進められ、満足しなければＳ１１２に処理が進められる。例えば、３点の評価ポイント（ＣＤｃ、ＣＤｌ、ＣＤｒ）のそれぞれのＮＩＬＳ値のうちの最小のＮＩＬＳ値が簡易評価値とされうる。簡易評価値としてのＮＩＬＳ値が閾値Ｎ２を満足しない場合にはＳ１２１における判断がＮｏとなる。この場合、Ｓ１１２において、別の有効光源分布の選択肢が設定される。一方、簡易評価値としてのＮＩＬＳ値が閾値Ｎ２を満足する場合にはＳ１２１における判断がＹｅｓとなり、処理がＳ１２２に進められる。
【００６６】
このように本実施形態では、簡易評価値が閾値を満足しない露光条件については、ベストフォーカス時の線幅の計算（Ｓ１２２）およびデフォーカス時の評価（Ｓ１２３−１２５）を行うことなく、他の露光条件に変更して最適化のための計算が進められる。これにより、最適化のための計算に要する全体的な時間が短縮される。
ここで、最もコントラストが高い像が形成されるはずのベストフォーカス時における像のＮＩＬＳ値が、閾値よりも小さい場合には、デフォーカス時における像もＮＩＬＳ値も当然に閾値より小さいことが予測できる。そこで、上記のように、簡易評価値が閾値を満足しない露光条件については、ベストフォーカス時の線幅の計算（Ｓ１２２）およびデフォーカス時の評価（Ｓ１２３−１２５）を行うことなく、他の露光条件に変更して最適化のための計算を進めることが好ましい。
【００６７】
Ｓ１２３（第２像計算ステップ）では、設定された条件（現在の有効光源分布を含む）の下で、投影光学系１４の像面からずれた面（デフォーカスした面）に形成されるパターンの像が光学シミュレーションにより計算される。
【００６８】
Ｓ１２４では、デフォーカス時におけるパターンの像の線幅が計算される。Ｓ１２５では、予め決められた量のデフォーカス量に到達しているかどうかが判断される。予め決められた量のデフォーカス量に到達していれば、Ｓ１０９に処理が進められ、到達していなければ、Ｓ１２６で別のデフォーカス量が設定され、Ｓ１２３でパターン像が再び計算される。
【００６９】
Ｓ１０９では、Ｓ１２２、Ｓ１２４で計算された線幅に基づいて評価値（例えば、ＤＯＦ）が計算される。
【００７０】
Ｓ１１０では、Ｓ１０９で計算した評価値が許容範囲であり、かつ、複数の露光条件（有効光源）について計算された評価値のうち最良値であるかどうかが判断される。評価値が許容範囲であり、かつ、最良値となる有効光源分布が特定された段階でＳ１１０においてＹｅｓと判断され、当該有効光源分布はＳ１１１で露光条件として決定される。以上の処理により、最大のＤＯＦが得られる有効光源分布が決定されうる。
このように、デフォーカス時における線幅までも考慮して最適化を行う場合には計算量が膨大になり、最適化に要する時間が長くなる。よって、簡易評価値が閾値を満足しない露光条件については、すぐさま他の露光条件に変更して最適化のための計算を進めることが好ましい。
【００７１】
更に、ＥＤ−Ｗｉｎｄｏｗ（Ｅｘｐｏｓｕｒｅ−Ｄｏｓｅ−Ｗｉｎｄｏｗ）の評価では、各デフォーカス量の設定ごとに露光量をスライスレベルよりも１０％増加させたとき、および、１０％減少させたときのパターンの線幅が計算されうる。
【００７２】
ＥＤ−Ｗｉｎｄｏｗは、露光量が１０％変わっても線幅が許容値に入るようなＤＯＦと定義され、露光工程における変動要因をより厳しく見積もった評価値となっている。このようなＥＤ−Ｗｉｎｄｏｗを評価量として扱う際にも、同じようにベストフォーカスのベスト露光量での光強度分布の強弱を評価するための閾値に設定することにより、大幅に露光条件の決定の効率が向上する。
【００７３】
以上のように、この実施形態によれば、ＤＯＦを含めた評価値に基づいて露光条件を決定する際における最適化に要する全体的な時間を短縮することができる。
【図面の簡単な説明】
【００７４】
【図１】第１実施形態の露光条件決定方法の流れを示すフローチャートである。
【図２】デバイスの製造方法を例示的に示す図である。
【図３】デバイスの製造方法を例示的に示す図である。
【図４】ＬＳＩのブロックのレイアウトを例示的に示す図である。
【図５】本発明の好適な実施形態の露光装置の概略更生を例示的に示す図である。
【図６】露光条件決定プログラムを実行するコンピュータの構成例を示す図である。
【図７】有効光源分布と投影光学系の像面に形成される像との関係を例示的に説明する図である。
【図８】輪帯照明における有効光源分布（ａ）とそれを形成するための円錐プリズム（ｂ）を例示的に示す図である。
【図９】重極照明における有効光源分布（ａ）とそれを形成するための角錐プリズムを例示的に示す図である。
【図１０】円錐プリズムの配置（ａ）とそれに対応する有効光源分布（ｂ）を例示的に示す図である。
【図１１】円錐プリズムの配置（ａ）とそれに対応する有効光源分布（ｂ）を例示的に示す図である。
【図１２】有効光源分布を例示的に示す図である。
【図１３】マスクパターンを例示的に示す図である。
【図１４】第２実施形態の露光条件決定方法の流れを示すフローチャートである。
【図１５】第２実施形態におけるＣＤ−ＤＯＦを例示的に示す図である。
【図１６】第１実施形態における有効光源の変化に応じた簡易評価値および評価値を例示的に示す図である。
【符号の説明】
【００７５】
１  光源
２  光束整形光学系
３  回折光学素子
４  フーリエ変換レンズ
５  ズーム光学系
６ａ  ハエの目レンズ入射面
６ｂ  ハエの目レンズ射出面
７  絞り部材
８  照射レンズ
９  視野絞り
１３  マスク
１４  投影光学系
１５  ウエハ
１６  検出器
３０  コンピュータ
３２  記憶部
１００  第１光学ユニット
２００  第２光学ユニット
２０１  照明形状変換器
２０２  照明形状変換器
３００  第３光学ユニット
【図１】
2010021443.tif 000003
【図２】
2010021443.tif 000004
【図３】
2010021443.tif 000005
【図４】
2010021443.tif 000006
【図５】
2010021443.tif 000007
【図６】
2010021443.tif 000008
【図７】
2010021443.tif 000009
【図８】
2010021443.tif 000010
【図９】
2010021443.tif 000011
【図１０】
2010021443.tif 000012
【図１１】
2010021443.tif 000013
【図１３】
2010021443.tif 000014
【図１４】
2010021443.tif 000015
【図１５】
2010021443.tif 000016
【図１６】
2010021443.tif 000017
【図１２】
2010021443.tif 000018